【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
モバイル機器の位置を決定する方法であって、
位置特定ネットワークの少なくとも一部として、前記モバイル機器に無線で送信するためのトリガーノードを設け、かつ、前記モバイル機器から無線で受信するための複数のリスニングノードを設けるステップと、
有無センサの形態の他のエンティティを使用して、ユーザが該有無センサの所定の近接さ内にあることを検出するステップと、
前記トリガーノードを使用して、前記ユーザが前記有無センサの所定の近接さ内にあるとの検出に応答して、トリガー信号を前記モバイル機器に無線で送信するステップであって、前記トリガー信号は前記モバイル機器に、前記トリガー信号を受信するのに応答して信号を無線で発信させる、ステップと、
前記リスニングノードを使用して、前記トリガー信号に応答して前記モバイル機器から送信された前記応答信号を待ち受け、それによって前記モバイル機器から前記応答信号を無線で受信する複数の前記リスニングノードのうちの各々において、各前記リスニングノードで受信された前記応答信号のそれぞれの測定値を、前記測定値のうちの１つ又は複数に基づいて前記モバイル機器の前記位置を決定するための位置特定の実施に使用するために、取得するステップと、を含む、方法。
【請求項２】
前記トリガーノードを使用して定期的な間隔で周期的に前記トリガー信号を無線で送信し、前記モバイル機器が前記トリガー信号を受信する度に前記応答信号を無線で発信するようにする、請求項１に記載の方法。
【請求項３】
前記モバイル機器からの前記応答信号が、位置特定の目的のための専用信号である、請求項１又は２に記載の方法。
【請求項４】
前記応答信号が、前記トリガー信号によってトリガーされる場合にのみ、前記モバイル機器から発信される、請求項１、２、又は３に記載の方法。
【請求項５】
前記モバイル機器からの前記応答信号が目標となる宛先に向けられ、前記リスニングノードが前記応答信号の前記目標となる宛先ではない、請求項１乃至４の何れか一項に記載の方法。
【請求項６】
前記トリガーノードは前記モバイル機器からの前記応答信号の前記測定値を何ら取得せず、前記リスニングノードは前記モバイル機器に前記応答信号を発信させるトリガー信号を何ら送信しないという点で、前記トリガーノードは前記リスニングノードとは別個であるか、又は
前記トリガーノードは前記リスニングノードのうちの１つとしても動作するが、前記リスニングノードの残りのノードは、前記モバイル機器に前記応答信号を発信させるトリガー信号を何ら送信しない、請求項１乃至５の何れか一項に記載の方法。
【請求項７】
前記トリガーノードによる前記送信と前記リスニングノードによる前記受信とが、Wi-Fi（登録商標）プロトコルに従って実施され、前記トリガー信号が、pingコマンドに応答して送信されるＩＣＭＰメッセージである、請求項１乃至６の何れか一項に記載の方法。
【請求項８】
前記モバイル機器は、前記応答信号に加えて１つ又は複数の他の信号を無線で発信し、前記リスニングノードの各々は、前記位置特定の実施に使用するために、前記応答信号と前記他の信号のうちの少なくとも１つとのそれぞれの測定値を取得するために、前記リスニングノードに向けられていなくても、前記応答信号と前記他の信号とを待ち受けるために使用される、請求項１乃至７の何れか一項に記載の方法。
【請求項９】
前記モバイル機器が所定の時間ウィンドウ内で前記他の信号のいずれも発信していないとの判断に応答して、前記トリガーノードを使用して、前記トリガー信号を前記モバイル機器に無線で送信する、請求項８に記載の方法。
【請求項１０】
有無センサを使用して、ユーザが該有無センサの所定の近接さ内にあることを検出し、トリガーノードを制御して、前記ユーザが前記有無センサの所定の近接さ内にあるとの検出に応答して、トリガー信号をモバイル機器に無線で送信するコントローラであって、前記トリガー信号は前記モバイル機器に、前記トリガー信号を受信するのに応答して、位置特定ネットワークの複数のリスニングノードによって受信されることになる応答信号を無線で発信させる、コントローラと、
前記複数のリスニングノードの少なくとも幾つかにおいて受信される前記応答信号のそれぞれの測定値を受信し、前記測定値のうちの１つ又は複数に基づいて、前記モバイル機器の前記位置を決定するための位置特定を実施する、位置特定エンジンと、を備える、装置。
【請求項１１】
前記コントローラが前記トリガーノードを制御して定期的な間隔で周期的に前記トリガー信号を無線で送信し、前記モバイル機器が前記トリガー信号を受信する度に前記応答信号を無線で発信するようにする、請求項１０に記載の装置。
【請求項１２】
前記モバイル機器が、前記応答信号に加えて１つ又は複数の他の信号を無線で発信し、
前記リスニングノードの各々が、前記位置特定の実施に使用するために、前記応答信号と前記他の信号のうちの少なくとも１つとのそれぞれの測定値を取得するために、前記リスニングノードに向けられていなくても、前記応答信号と前記他の信号とを待ち受け、
前記コントローラは、前記モバイル機器が所定の時間ウィンドウ内で前記他の信号のいずれも発信していないとの判断に応答して、前記トリガーノードを制御して、前記トリガー信号を前記モバイル機器に無線で送信させる、請求項１０又は１１に記載の装置。
【請求項１３】
モバイル機器の位置を決定するための位置特定ネットワークであって、
有無センサであって、ユーザが該有無センサの所定の近接さ内にあることを検出するための有無センサと、
前記ユーザが前記有無センサの所定の近接さ内にあるとの検出に応答して、トリガー信号を前記モバイル機器に無線で送信するトリガーノードであって、前記トリガー信号は前記モバイル機器に、前記トリガー信号を受信するのに応答して応答信号を無線で発信させる、トリガーノードと、
複数のリスニングノードであって、前記トリガー信号に応答して前記モバイル機器から送信される前記応答信号を待ち受け、前記モバイル機器から前記応答信号を無線で受信する複数の前記リスニングノードのうちの各々において、各前記リスニングノードで受信された前記応答信号のそれぞれの測定値をそれによって取得する、複数のリスニングノードと、
位置特定を実施して、前記測定値のうちの１つ又は複数に基づいて前記モバイル機器の前記位置を決定する、位置特定エンジンと、を備える、
位置特定ネットワーク。
【請求項１４】
コンピュータプログラムであって、１つ又は複数のコンピュータ可読記憶媒体に記憶され、かつ／又はコンピュータネットワークからダウンロード可能であり、１つ又は複数のプロセッサ上で実行されると、
有無センサを使用して、ユーザが該有無センサの所定の近接さ内にあることを検出する動作と、
トリガーノードを制御して、前記ユーザが前記有無センサの所定の近接さ内にあるとの検出に応答して、トリガー信号を前記モバイル機器に無線で送信する動作であって、前記トリガー信号は前記モバイル機器に、前記トリガー信号を受信するのに応答して、位置特定ネットワークの複数のリスニングノードによって受信されることになる応答信号を無線で発信させる、動作と、
前記複数のリスニングノードの少なくとも幾つかにおいて受信される前記応答信号のそれぞれの測定値を受信し、前記測定値のうちの１つ又は複数に基づいて、前記モバイル機器の前記位置を決定するための位置特定を実施する、位置特定エンジンの動作と、を実施する、コンピュータプログラム。